(57)【要約】【課題】  結婚祝いのメッセージを記し複数枚の貼付け片で、装飾性の高い絵画状の意匠を形成する。【解決手段】  台板２と該台板に貼り付け可能な複数の貼付け片４とからなり、貼付け片４は、書き込みが可能な 書込み片５と、該 書込み片５の書込み面51が見える様に該書込み片５に見開き可能に被さった装飾片６とによって形成され、書込み片５の裏面に台板２に貼り付けるための貼付け手段70を具えている。  披露宴参列者が、各自に配布された貼付け片４の書込み片５にメッセージを書き込み、披露宴会場に備えられた１つの台板２に、貼付け片４を貼付け手段70によって貼付け、絵画の様なメッセージ貼り絵１を完成する。【選択図】  図４
2005111859.tif 000002
【特許請求の範囲】
【請求項１】
台板(２)と、該台板に貼り付け可能な複数の貼付け片(４)とのセットであって、貼付け片(４)は、書き込みが可能な書込み片(５)と、該書込み片(５)に見開き可能に被さり書込み片(５)の書込み面(51)を露出させることが可能なた装飾片(６)とによって形成され、書込み片(５)の裏面に台板(２)に貼り付けるための貼付け手段(70)を具えたメッセージ貼り絵セット。
【請求項２】
台板(２)には貼付け片(４)の貼付け位置の目安となる図柄(３)が施されている請求項１に記載のメッセージ貼り絵セット。
【請求項３】
セットに、台板(２)上に貼付け片(４)を貼る際の貼付け位置の目安を示す見本図(８)が含まれている請求項１又は２に記載のメッセージ貼り絵セット。
【請求項４】
貼付け手段(70)は、書込み片(５)の裏面の一部に施された接着剤層(71)である請求項１乃至３の何れかに記載のメッセージ貼り絵セット。
【請求項５】
台板(２)と、該台板(２)上に貼り付けた複数の貼付け片(４)とによって形成され、貼付け片(４)は書き込みが可能な書込み片(５)と、書込み片(５)の書込み面(51)が見える様に該書込み片(５)に見開き可能に被さった装飾片(６)とによって形成され、書込み片(５)の裏面に具えた貼付け手段(70)によって貼付け片(４)が台板(２)に貼り付けられているメッセージ貼り絵。
【発明の詳細な説明】
【技術分野】
【０００１】
本発明は、メッセージ入りの複数の貼付け片を台板に貼り付けて、絵画の様な作品に仕上げたメッセージ貼り絵及びメッセージ貼り絵を製作するためのメッセージ貼り絵セットに関するものである。
【背景技術】
【０００２】
結婚披露宴で、参列者が色紙に寄せ書きをすることは慣例化されている。しかし、寄せ書きされた色紙は、新郎新婦が持ち帰るだけであって、披露宴を盛り上げる手段に利用されたことを出願人は経験したことがない。
そこで出願人は、メッセージの書込みが可能で且つ装飾性を有する貼付け片を参列者に配布して、会場の適所に掲げた台板上に、メッセージを書き込んだ貼付け片を各自に貼り付けさせ、外観は絵画の様に見えるメッセージ貼り絵に仕上げて、会場で披露することを案出した。
新郎新婦を祝福するために集まった者が、各自の貼付け片を共通の台板に貼り付けて絵画の様に仕上げること、及び仕上がったメッセージ貼り絵をその場で披露することは、披露宴を大いに盛り上げるセレモニーとなる。又、貼付け片１つ１つに印されたメッセージが、新郎、新婦の前途を祝し、励まし、勇気づけると考えたのである。
【０００３】
しかし、上記メッセージ貼り絵が絵画の様に見えても、メッセージ記入面が露出しているため、該記入面に印された文字が絵画の雰囲気を壊す。又、他人に文字を見られることは、字の上手、下手を気にする者にとって負担を感じるものである。
尚、台板上に複数の貼付け片を貼って、絵画の様に形成することは公知である(特許文献１、特許文献２)が、これらはメッセージを隠せることは勿論の事、貼付け片の１つ１つにメッセージをしたためることすら開示されていない。
【特許文献１】実開平７−４４３７７号公報
【特許文献２】特開平８−６４８８号公報
【発明の開示】
【発明が解決しようとする課題】
【０００４】
本発明は、貼付け片を見開きでメッセージが読める様に形成することにより上記問題を解決し、装飾性を高めることのできるメッセージ貼り絵及び該貼り絵を製作するためのメッセージ貼り絵セットを提供することを課題とする。
【課題を解決するための手段】
【０００５】
本発明のメッセージ貼り絵セットは、台板(２)と該台板に貼り付け可能な複数の貼付け片(４)とからなり、貼付け片(４)は、書き込みが可能な 書込み片(５)と、該書込み片(５)の書込み面(51)が見える様に該書込み片(５)に見開き可能に被さった装飾片(６)とによって形成され、書込み片(５)の裏面に台板(２)に貼り付けるための貼付け手段(70)を具えている。
【０００６】
本発明のメッセージ貼り絵は、台板(２)と、該台板(２)上に貼り付けた複数の貼付け片(４)とによって形成され、貼付け片(４)は書き込みが可能な 書込み片(５)と、書込み片(５)の書込み面(51)が見える様に該 書込み片(５)に見開き可能に被さった装飾片(６)とによって形成され、 書込み片(５)の裏面に具えた貼付け手段(70)によって貼付け片(４)が台板(２)に貼り付けられている。
【発明の効果】
【０００７】
披露宴参列者が、各自に配布された貼付け片(４)の書込み片(５)にメッセージを書き込み、披露宴会場に備えられた１つの台板(２)に、貼付け片(４)を貼付け手段(70)によって貼付け、絵画の様なメッセージ貼り絵(１)を完成する。
メッセージの書き込みや、台板(２)への貼付けは、テーブルスピーチの合間等、各自の都合のよいときに行なえば良い。
【０００８】
完成したメッセージ貼り絵(１)を参列者に披露する。メッセージ貼り絵(１)は、貼付け片(４)の集合によって表現されている。この貼付け片(４)の１つ１つは、書込み片(５)と装飾片(６)の二枚重ね構造である。書込み片(５)にメッセージを記す際に、必ず装飾片(６)をめくり上げねばならぬから、装飾片(６)にめくり癖がついて、装飾片(６)の全面が 書込み片(５)に密接していることはなく、装飾片(６)は 書込み片(５)がら少し浮いた状態となっており、貼付け片(４)に立体感とボリューム感が生まれている。
従って、メッセージ貼り絵(１)に、貼付け片(４)によって表された絵模様は、水彩画や油絵にはない、立体感と質感を表すことができる。
書込み片(５)、即ち、メッセージの文字等は装飾片(６)に隠れているため、メッセージ貼り絵(１)に表された絵画の意匠の美観を損なうことはない。
司会者が貼付け片(４)の装飾片(６)をめくって、メッセージを披露することができる。
【０００９】
参列者は、メッセージ貼り絵(１)の制作に参加して、メッセージ貼り絵(１)の完成までの過程を見ているのであるから、興味もひとしおである。貼付け片(４)の配布からメッセージ貼り絵(１)の披露までが、披露宴の場を盛り上げるセレモニーとなる。
色紙の回し書きの様に、同じテーブルの参列者に、自分の文字を見られることはなく、文字の上手、下手を気にするものでも、気軽にメッセージをしたためることができる。
貼付け片(４)を部分的に台板(２)に貼り付ける様にすれば、貼付け片(４)(４)が部分的に重なって貼り付けられても、下側の貼付け片(４)の装飾片(６)を見開くことに支障はない。
新郎新婦は、持ち帰ったメッセージ貼り絵(１)の、１つ１つの装飾片(６)を開くこにより、参列者からの祝福、励まし、勇気づけのメッセージが表われて、新たな感動を覚える。
【発明を実施するための最良の形態】
【００１０】
図１は、完成したメッセージ貼り絵(１)を額装したものと、メッセージ貼り絵(１)を完成するための助けとなる見本図(８)を示している。
実施例のメッセージ貼り絵(１)は、結婚を祝福するためのものである。
メッセージ貼り絵(１)は、台板(２)と該台板(２)に貼り付けた複数の貼付け片(４)によって構成されている。
【００１１】
図２、図３に示す如く、台板(２)は、木材、厚紙、合成樹脂板、金属板、ガラス板等にて形成された基板(21)に布、不織布等で形成した装飾シート(22)を被覆して形成されている。
装飾シート(22)には、貼付け片(４)の貼付位置の目安となる図柄(３)が施されている。実施例の図柄(３)は、２本の桜の木の幹と枝を描いたものである。
台板(２)の右下寄りには、刺繍によって、装飾シート(22)上に新郎新婦の名前、挙式日等が印されている。
台板(２)の大きさは、横６０cm、縦５０cm程度である。
【００１２】
図４に示す如く、貼付け片(４)は、夫々桜の花を模して形成された書込み片(５)と装飾片(６)を輪郭を合わせて重ね、一端どうしを接着剤層(７)で接合して形成されている。
書込み片(５)はインクが滲み難い様に作った不織布に薄布を裏打ちして形成され、不織布が書込み面(51)となり、該書込み面(51)に装飾片(６)が被さる。
装飾片(６)は、花形状の基布全体に光沢のある糸で刺繍を施して、質感と高級感を醸し出している。
書込み片(５)と装飾片(６)の接着部において、書込み片(５)の裏面に台板(２)への貼付け手段(70)が設けられている。
実施例の貼付け手段(70)は、円形に施した接着剤層(71)であって剥離紙(72)が被さっている。
【００１３】
見本図(８)は、台板(２)の図柄(３)に装飾片(６)群を貼り付けて完成したメッセージ貼り絵(１)のイメージを写真や絵で表したもの、即ち、桜の木の枝に花が咲いた状態が示されている。
見本図(８)は、完成メッセージ貼り絵(１)のイメージが分かれば、メッセージ貼り絵(１)よりも小さくてよい。
【００１４】
然して、披露宴の受付けでの手渡し、宴会場の着席テーブルに置いておく等の方法によって、貼付け片(４)を参列者に配布する。
会場の目立つ位置に台板(２)を用意しておく。
参列者は、貼付け片(４)の書込み片(５)に、新郎新婦に対するメッセージをしたためる。
スピーチの合間等、都合のよいときを見計らって、参列者は、各自貼付け片(４)を剥がして台板(２)に貼り付ける。
台板(２)には、貼付け片(４)の貼付け位置の目安となる図柄(３)が施されていること、及び、実施例の様に、木の枝に花を配する構図であれば、花の位置や、貼り順にこだわる必要はないので、貼付け位置に悩むことはない。見本図(８)を見れば、一層貼付け位置が分かり易い。
【００１５】
完成したメッセージ貼り絵(１)を参列者に披露する。メッセージ貼り絵(１)は、貼付け片(４)の装飾片(６)の集合によって表現され、メッセージ、即ち、文字は装飾片(６)に隠れているため、文字が作品の美観を損なうことはない。
司会者が貼付け片(４)の装飾片(６)をめくり上げて、メッセージを披露することもできる。
【００１６】
参列者は、一人一人がメッセージ貼り絵(１)の制作に参加しており、メッセージ貼り絵(１)の完成までの過程を見ているのであるから、興味もひとしおである。貼付け片(４)の配布から完成メッセージ貼り絵(１)の披露までが、披露宴の場を盛り上げるセレモニーとなる。
色紙の回し書きの様に、同じテーブルの参列者に、自分の文字を見られることなく、文字の上手、下手を気にするものでも、気軽にメッセージをしたためることができる。
貼付け片(４)を部分的に台板(２)に貼り付ける様にすれば、貼付け片(４)(４)が部分的に重なって貼り付けられても、下側の貼付け片(４)の装飾片(６)を見開くことに支障はない。
新郎新婦は、持ち帰った作品の、１つ１つの貼付け片(４)の装飾片(６)を開くこにより、参列者からの祝福、励まし、勇気づけのメッセージが表われて、新たな感動を覚える。
メッセージ貼り絵(１)を額装して部屋に飾れば、花が立体的に見えて、単なる絵画とは趣が違った絵画作品として観賞できる。
【００１７】
メッセージ貼り絵(１)は、結婚を祝福するためだけのものではなく、出産祝、受賞祝、栄転祝、入学祝、卒業祝、引っ越し祝、開店祝、新築祝、退職祝、結婚記念日  父の日、母の日等、種々の慶事や記念に実施できる。
台板(２)の大きさ、製作する絵模様は、貼付け片(４)の枚数、即ち、参加人数に応じて適宜決めることができる。
例えば、台板(２)を水槽や海に見立てて、魚を表した貼付け片(４)群を貼ってメッセージ貼り絵(１)を完成する。台板(２)に描く図柄(３)を大きな魚とし、鱗を表した貼付け片(４)を台板(２)に貼り付ける。メッセージを送る対象者の写真や似顔絵を台板(２)の中央に位置させ、その回りに、バラ等の花を描いた貼付け片(４)群をリース状に貼り付ける等である。
【００１８】
又、書込み片(５)は、紙、布、樹脂シート、木材や金属の薄板等、ボールペン、フェルトペン等の筆記具で書き込みが出来れば、材質は問わない。
装飾片(６)も、フェルト、皮革、合成皮革、樹脂シート、和紙等、材質は問わない。又、装飾片(６)の装飾方法も刺繍に限らず、印刷、型押し、着色等、手段は問わない。装飾片(６)の材質自体の持ち味で、特に改めて装飾を施す必要のない場合もあるのは勿論である。
【００１９】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００２０】
【図１】額装したメッセージ貼り絵と見本図の正面図である。
【図２】図柄を施した台板の正面図である。
【図３】台板の断面図である。
【図４】貼付け片の正面図である。
【図５】装飾片をめくり上げて書込み片にメッセージをしたためた状態の貼付け片の正面図である。
【図６】同上の側面図である。
【符号の説明】
【００２１】
１  メッセージ貼り絵
２  台板
３  図柄
４  貼付け片
５  書込み片
６  装飾片
70  貼付け手段
【図１】
2005111859.tif 000003
【図２】
2005111859.tif 000004
【図３】
2005111859.tif 000005
【図４】
2005111859.tif 000006
【図５】
2005111859.tif 000007
【図６】
2005111859.tif 000008